【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
第１領域と第２領域に区分される第１基板と、
前記第１基板上の前記第２領域に形成される反射膜パターンと、
前記第１基板と対向し、複数の画素領域が定義される第２基板と、
前記第２基板上の前記複数の画素領域の各々に形成される画素電極とを有し、
前記反射膜パターンは、前記各画素領域と対応する領域に形成されることを特徴とする液晶表示装置。
【請求項２】
前記画素電極が形成される側とは反対側の前記第２基板に装着されて前記第１領域に光を照射するバックライトアセンブリをさらに有することを特徴とする請求項１に記載の液晶表示装置。
【請求項３】
前記バックライトアセンブリは、光源と前記光源の一側で前記第１領域にかけて形成される導光板とを有することを特徴とする請求項２に記載の液晶表示装置。
【請求項４】
前記反射膜パターンは、前記各画素領域の一部に対応するように、限定されて形成されることを特徴とする請求項１に記載の液晶表示装置。
【請求項５】
前記画素電極が形成される側とは反対側の前記第２基板に装着されて前記第１領域と第２領域に光を照射するバックライトアセンブリをさらに有することを特徴とする請求項４に記載の液晶表示装置。
【請求項６】
前記バックライトアセンブリは、光源と前記光源の一側に形成される導光板とを有し、前記導光板は前記第１領域と第２領域で互いに相異なるパターンで形成されることを特徴とする請求項５に記載の液晶表示装置。
【請求項７】
前記第１領域と第２領域にかけて形成され、前記反射膜パターン上に配置されるカラーフィルタをさらに有することを特徴とする請求項１に記載の液晶表示装置。
【請求項８】
前記第２領域は、単一種類のカラーだけで表示されるか、または、単一種類のカラーだけが表示される複数の領域で区分されることを特徴とする請求項７に記載の液晶表示装置。
【請求項９】
前記第２領域に対応する前記画素領域の大きさは前記第１領域に対応する前記画素領域より大きいことを特徴とする請求項１に記載の液晶表示装置。
【請求項１０】
前記第２領域に対応する前記画素領域の大きさは前記第１領域に対応する前記画素領域より３倍大きいことを特徴とする請求項９に記載の液晶表示装置。
【手続補正２】
【補正対象書類名】明細書
【補正対象項目名】全文
【補正方法】変更
【補正の内容】
【発明の詳細な説明】
【発明の名称】液晶表示装置
【技術分野】
【０００１】
本発明は平板表示装置に係り、より詳細には液晶を利用する液晶表示装置に関するものである。
【背景技術】
【０００２】
平板表示装置は、厚さが薄くて平たい画面を提供する表示装置で、代表的にはノートブックコンピューターモニタや移動通信端末機に広く使われる液晶表示装置ＬＣＤがある。
【０００３】
一般的に、液晶表示装置は印加電圧によって液体と結晶の中間状態物質である液晶の分子配列により光透過度が変化する特性を利用して、入力される電気信号を視覚情報に変化させて画像を伝達する。液晶表示装置は電極が具備された二つの基板と、基板の間の液晶、及び二つの基板の中でいずれかに装着されるバックライトアセンブリを含む。液晶表示装置の動作の時、電極を通じて液晶に電界を加えるようになって液晶の配列が変更されながら光透過度が変わるようになる。この時、バックライトアセンブリから照射された光が液晶を通過しながら液晶配列による画像が表示される。
【０００４】
画像が表示される所を表示部と称すると、表示部は二つの基板の中でバックライトアセンブリが装着される基板と向き合う反対側の基板の外部に形成される。即ち、単一の表示部を形成するためには二つの基板と発光源である単一のバックライトアセンブリが必要である。最近では移動通信端末機などで複数の表示部が形成される製品に対する需要が増加している。ところで、複数の表示部が形成されるためには各表示部ごとに二つの基板と一つの発光源が必要となり、計算的には二つの表示部が形成されるためには四つの基板と二つの発光源が必要になる。
【０００５】
具体的に垂直方向を基準で、上側に第１表示部が形成され、下側に第２表示部が形成される場合を考慮する。この場合、第１表示部のための二つの基板が上下に配置され、二つの基板中の上側に位置する基板の上部に第１表示部を形成することができる。また下側に位置する基板の下部には第１バックライトアセンブリを装着することができる。また、第２表示部のためには、またさらに他の二つの基板が具備され、この中の下側に位置する基板の下部に第２表示部が形成され、上側に位置する基板の上部には第２バックライトアセンブリが装着される。ここで第１バックライトアセンブリと第２バックライトアセンブリは上下で隣接するようになる。このような構造の液晶表示装置において、垂直方向の厚さは四つの基板と二つのバックライトアセンブリの厚さの合計と同様である。このような液晶表示装置が端末機に使われる場合、全体の厚さは４ｍｍを超過するようになってしまい厚すぎる結果となるという問題があった。これは特に消費者の需要によって端末機の大きさがだんだん縮まる最近の傾向にも反するものである。
【発明の概要】
【発明が解決しようとする課題】
【０００６】
そこで、本発明は平板表示装置である上記従来の液晶表示装置及びこれを利用した端末機における問題点に鑑みてなされたものであって、本発明の目的は、複数の表示部が形成されながらも全体の厚さを減少させることができる液晶表示装置を提供することにある。
【課題を解決するための手段】
【０００７】
上記目的を達成するためになされた本発明による液晶表示装置は、第１領域と第２領域に区分される第１基板と、前記第１基板上の前記第２領域で形成される反射膜パターンと、前記第１基板と対向し、複数の画素領域が定義される第２基板と、前記第２基板上の前記複数の画素領域の各々に形成される画素電極とを有し、前記反射膜パターンは、前記各画素領域と対応する領域に形成されることを特徴とする。
【０００８】
前記画素電極が形成される側とは反対側の前記第２基板に装着されて前記第１領域に光を照射するバックライトアセンブリをさらに有することを特徴とする。
【０００９】
上述の本願発明によれば、前記第１基板の第１領域に透過方式の画像が表示され、前記第２基板の第２領域に反射方式の画像が表示され、２個の基板だけで両面の画像が表示されることができて液晶表示装置の全体の大きさが縮まる。
【００１０】
また、前記反射膜パターンは前記各画素領域の一部に対応するように、限定されて形成されることを特徴とする。
この時、前記画素電極が形成される側とは反対側の前記第２基板に装着されて前記第１領域と第２領域に光を照射するバックライトアセンブリをさらに有することを特徴とする。
【００１１】
上述の本願発明によれば、前記第１基板の第１領域と第２領域に透過方式で互いに相異なる画像が表示され、前記第２基板の第２領域に反射方式の画像が表示される。前記第１基板の第２領域と第２基板の第２領域では全て同様な画像が表示される。
【発明の効果】
【００１２】
本発明に係る液晶表示装置によれば、複数の表示部が形成される液晶表示装置は多様な器機に使われ、特にフォルダ型の端末機に有用に使われることができ、二つの基板だけを使って領域別に区分される複数の表示部が形成されることができる。これは小さな大きさを願う消費者の需要を充足させて製品競争力を増進させる効果がある。また基板の数が減少されるから、それによって材料費や工程数が減縮する効果がある。
【発明を実施するための最良の形態】
【００１３】
次に、本発明に係る液晶表示装置を実施するための最良の形態の具体例を図面を参照しながら説明する。
但し、本発明はここで説明される実施形態に限定されなく、多様な形態に応用されて変形されることができる。むしろ、下の実施形態は本発明によって開始された技術思想をより明確にし、進んで本発明が属する分野で平均的な知識を有する当業者に本発明の技術思想が充分に伝達するように提供されるものである。従って、本発明の範囲が下で詳述する実施形態によって限定されることに解釈されない。また下の実施形態と共に提示された図面において、層及び領域の大きさは明確な説明を強調するために簡略化されたり、多少、誇張されたりすることがある。なお図面上に同一の参照番号は同一の構成要素を示す。
【００１４】
図１は本発明の作用原理を説明するための概略斜視図であり、図２乃至図５は図１による多様な応用例を示す断面図である。
【００１５】
図１を参照すると、液晶表示装置は互いに対向するように合着される第１基板１０と第２基板２０及び第１基板１０と第２基板２０の間に配列される液晶３０を含む。第１、第２基板１０、２０において、以下説明の便宜上、液晶３０が形成される方向を第１、第２基板１０、２０の内部と称して記し、その反対側を外部と称して記するようにする。また‘表示部’と称する部分は第１、第２基板１０、２０の外部の画像が表示される領域を示す。
【００１６】
各第１、第２基板１０、２０は領域別で第１領域と第２領域に区分される。第１基板１０外部の第１領域に画像が表示（以下第１表示部Ｉと記す）され、第２基板２０の外部の第２領域にも画像が表示（以下第２表示部ＩＩと記す；図面に斜線で引かれた部分は実際には、第２基板の下側に形成される）される。第１表示部Ｉと第２表示部ＩＩは相互重畳されなく、このように第１領域と第２領域によって区分されるように第１、第２表示部Ｉ、ＩＩを形成すれば、二つの基板１０、２０だけでその両面に第１、第２表示部Ｉ、ＩＩが形成される。即ち、使われる基板の数が従来の両面液晶表示装置の半分に過ぎず、液晶表示装置の厚さと大きさが大幅に減少される。
【００１７】
液晶３０は発光体ではないので、第１、第２表示部Ｉ、ＩＩに画像を表示するためには別途の光源が必要である。液晶表示装置は、光源の種類によって外部の自然光を利用する反射型液晶表示装置（Ｒｅｆｌｅｃｔｉｏｎ  ｔｙｐｅ  ＬＣＤ）と内部から発生する光を利用する透過型の液晶表示装置（Ｐｅｎｅｔｒａｔｉｏｎ  ｔｙｐｅ  ＬＣＤ）及びこれらを併用する反射−透過型の液晶表示装置（Ｒｅｆｌｅｃｔｉｏｎ  ａｎｄ  Ｐｅｎｅｔｒａｔｉｏｎ  ｔｙｐｅ  ＬＣＤ）に区分される。反射型または反射−透過型液晶表示装置には外部から入射される光を反射して利用するための反射膜パターンが具備される。透過型または反射−透過型の液晶表示装置では自体が光を発生するバックライトアセンブリが具備される。
【００１８】
反射型または透過型のどんな方式を採用するかによって図２乃至図５のような液晶表示装置の多様な応用が可能である。即ち、第１表示部Ｉと第２表示部ＩＩが全ての反射型や透過型に実現させることができ、または第１表示部Ｉと第２表示部ＩＩ中いずれか一つは透過型に実現させることができる。
【００１９】
図２を参照すると、第１表示部Ｉと第２表示部ＩＩは全てを透過型に実現させることができ、第１基板１０と第２基板２０の外部面にそれぞれ第１バックライトアセンブリ１１と第２バックライトアセンブリ２１が装着される。第１基板１０の外部面に装着される第１バックライトアセンブリ１１から照射される光は第１基板１０と液晶３０及び第２基板２０を透過する。液晶３０を透過した光による画像が第２表示部ＩＩに現われる。同様に、第２基板２０の外部面に装着される第２バックライトアセンブリ２１から照射された光によって第１表示部Ｉに画像が表示される。
【００２０】
図３を参照すると、第１表示部Ｉと第２表示部ＩＩは全てを反射型に実現させることができ、第１基板１０と第２基板２０の内部面にそれぞれ第１反射膜パターン１２と第２反射膜パターン２２が具備される。外部から第１基板１０に入射された光は第２反射膜パターン２２から反射され、反射した光が液晶３０と第１基板１０を透過しながら第１表示部Ｉに画像が表示される。同様に、外部から第２基板２０に入射された光は第１反射膜パターン１２から反射され、反射された光が液晶３０と第２基板１０を透過しながら第２表示部ＩＩで画像が表示される。
【００２１】
第１反射膜パターン１２と第２反射膜パターン２２はそれぞれ第２領域と第１領域に形成されて相互間には互いに重畳されない。もし第１反射膜パターン１２が第１領域にも形成されたら、第１基板１０に入射された光が第２反射膜パターン２２に到逹する前に第１反射膜パターン１２で反射されて液晶３０をパスすることができなくなる。
【００２２】
図４を参照すると、第１表示部Ｉは反射型で、第２表示部ＩＩは透過型に実現させることができ、第２基板２０の内部面に第２反射膜パターン２２が具備され、第１基板２０の外部面には第１バックライトアセンブリ１１が装着される。外部から第１基板１０に入射された光は第２反射膜パターン２２で反射され、反射された光が液晶３０と第１基板１０を透過しながら第１表示部Ｉに画像が表示される。また、第１バックライトアセンブリ１１から照射される光は液晶３０を透過して第２表示部ＩＩに画像が表示される。
【００２３】
図５を参照すると、第１表示部Ｉは透過型で、第２表示部ＩＩは反射型に実現させることができ、第２基板２０の外部面に第２バックライトアセンブリ２１が装着され、第１基板１０の内部面には第１反射膜パターン１２が具備される。動作方式は図４を参照して説明した場合と類似である。
【００２４】
上述のような多様な構造において、反射型が適用された構造はバックライトアセンブリが使われないから、バックライトアセンブリが占める嵩ぐらいに全体の大きさを減少させることができる長所がある。また、透過型が適用された構造は自体発光源を利用するから、外部の光源を利用することができない暗い所でも使用可能な長所がある。従って、反射型と透過型の長所が全て発揮されれば、二つのタイプが全て採用されることが望ましく、問題は第１表示部と第２表示部の中でどの部分を反射型にし、どの部分を透過型で構成するかどうかを決めることにある。
【００２５】
上記構造において、第１表示部と第２表示部は同一の大きさに形成することができるが、第１表示部と第２表示部の中でいずれか一つをさらに大きく形成することができる。
例えば、表示される情報の重要度によって、第１表示部がメイン画面で使われ、第２表示部がサブ画面で使われることができる。この場合、重要な情報が表示される第１表示部は外部の照度と関係なく、いつも画像が表示されることができるようにすることが望ましい。これに比べて、相対的に重要ではない情報が表示される第２表示部はあまり定常的に画像を表示する必要はない。即ち、第１表示部は透過型の構造を有するようにしていつも画像が表示されることができるようにし、第２表示部は反射型の構造を有するようにしてバックライトアセンブリを省略し、液晶表示装置の厚さを減少させることができる。
【００２６】
以下では自体発光源で作動するメインの第１表示部と自然光を利用するサブの第２表示部を有する液晶表示装置の詳細の構造を詳しく説明する。
【００２７】
図６は本発明の実施形態による液晶表示装置の構造を説明するための斜視図である。
【００２８】
図６を参照すると、本発明による液晶表示装置は互いに向き合うように合着される第１基板１００と第２基板２００及び第1、第２基板１００、２００の間に配列される液晶３００を含む。
【００２９】
第1、第２基板１００、２００は領域別で第１領域と第２領域に区分される。第１基板１００外部の第１領域には第１表示部Ｉが形成され、第２基板２００外部の第２領域には第２表示部ＩＩ（図面で斜線が引かれた部分は実際では第２基板の下部に形成される。）が形成される。第１表示部Ｉはメイン画面で使われ、第２表示部ＩＩはサブ画面で使われ、第１表示部Ｉは第２表示部ＩＩより大きく形成される。第２基板２００の外部面にはバックライトアセンブリ２５０が具備される。バックライトアセンブリ２５０は光源２５１と導光板２５２を含み、第１表示部Ｉに光を照射する。第１基板１００の内部面の第２領域には反射膜パターン（図示せず）が具備され、第２基板２００に入射された光が反射膜パターンで反射して液晶３００を透過した後、第２表示部ＩＩに照射される。
【００３０】
第２基板２００の内部面にはゲートライン２１０とデータライン２２０が相互交差しながら形成される。ゲートライン２１０とデータライン２２０は通常的にそれぞれ行方向と列方向のマトリックス形態に形成され、これらが交差しながら区分される各領域は画素領域に該当する。各画素領域には薄膜トランジスタＴとこれに連結された画素電極２４０が具備される。薄膜トランジスタＴはゲートライン２１０が延長されたゲート電極とデータライン２２０が延長されたソース電極及びソース電極に対向されるドレイン電極を含む。画素電極２４０はドレイン電極を通じて薄膜トランジスタＴと連結される。
【００３１】
一方、第１基板１００の内部面には画素領域に対応する開口部１２１を有する遮光膜パターン１２０が形成される。開口部１２１は赤色Ｒ、緑Ｇ、青色Ｂの三原色を利用してカラーを示すカラーフィルタ１３０で満たされ、カラーフィルタ１３０上には画素電極２４０と向き合うように共通電極１４０が形成される。
【００３２】
液晶表示装置の動作の時には、ゲートライン２１０にゲートオン信号が印加されれば、薄膜トランジスタＴがターンオンされる。この時、データライン２２０では画像情報によるデータ信号が伝達して画素電極２４０に印加される。同時に、第１基板１００の共通電極１４０には共通電圧が印加され、画素電極２４０と共通電極１４０の電圧差による電界が液晶３００に作用して液晶３００の配列が変更される。その結果、液晶３００の配列による画像が第１表示部Ｉまたは、第２表示部ＩＩに表示される。
【００３３】
上記のような構造及び動作において、注目する点は、第２表示部ＩＩが第２基板２００の外部に形成されるという点である。従来の液晶表示装置では第１基板の外部だけに画像が表示されるが、本発明では第1、第２基板１００、２００の数を増加させなくても、複数の表示部Ｉ、ＩＩが形成されることができるように第１基板１００だけではなく、第２基板２００まで画像を表示することに使われる。
【００３４】
次に、本発明の実施形態による液晶表示装置のより詳細な垂直構造について説明する。
【００３５】
図７は本発明の実施形態による液晶表示装置の断面図であり、図６でのデータライン方向を基準にしたものである。
【００３６】
図７を参照すると、第１基板１００は第１領域と第２領域で反射膜パターン１１０の存在可否によって、相異なる構造を有し、第２基板２００は第１領域と第２領域で同様な構造を有する。
【００３７】
まず、第２基板２００を見れば、第２基板２００上には各画素領域の境界になる地点にゲートライン２１０が形成される。ゲートライン２１０上にはゲート絶縁膜２１５と保護膜２３０が形成される。ゲート絶縁膜２１５はゲートライン２１０とゲート絶縁膜２１５上の所定領域に形成されるデータライン２２０を絶縁させる。保護膜２３０はデータライン２２０の保護及び絶縁のためのものであり、ゲート絶縁膜２１５及び保護膜２３０は全ての窒化シリコン膜等で形成することができる。ゲートライン２１０の両側へは各画素領域ごとに分離するように画素電極２４０が形成される。画素電極２４０はＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）を利用して透明絶縁膜を蒸着した後、パターニングして形成される。
【００３８】
一方、第１基板１００上の画素領域の境界部分には遮光膜パターン１２０が形成される。遮光膜パターン１２０はクロムＣｒなどの金属薄膜やカーボン系列の有機物質を利用して形成することができ、画素電極２４０に制御されない部分の液晶３００を通過して出る光を遮断する。遮光膜パターン１２０は画素領域に対応する開口部１２１を有し、開口部１２１はカラーフィルタ１３０によって満たされる。カラーフィルタ１３０は特定のカラーを現わす波長を有する光をフィルタリングする役目をする。カラーフィルタ１３０は光の三原色に該当する赤色フィルタと緑フィルタ及び青色フィルタからなり、これらが互いに交替しながら規則的に配列される。カラーフィルタ１３０はカラーを現わすためのものなので、カラー画面を有しない表示装置では省略することができる。またカラー画面の場合にも、必ず第１基板１００上に形成されるべきものではなく、第２基板２００に形成することもできる。例えば、カラーフィルタ１３０は第２基板２００上の保護膜２３０と画素電極２４０の間に形成することができる。カラーフィルタ１３０上には画素電極２４０と対応される共通電極１４０が形成される。共通電極１４０は画素電極２４０と同じくＩＴＯまたはＩＺＯを利用した透明導電膜を蒸着して形成する。図面で図示しないが、共通電極１４０とカラーフィルタ１３０の間にはオーバーコート膜を形成することもできる。オーバーコート膜はアクリル樹脂を利用したスピンコーティングの方法にて形成することができ、カラーフィルタ１３０を保護して第１基板１００表面を平坦化する役目をする。
【００３９】
第１基板１００の所定領域には優秀な反射率を有するアルミニウムや銀で反射膜パターン１１０が形成される。反射膜パターン１１０は自然光を反射して画像が表示されるように作用し、反射モードで作動する第２表示部ＩＩのために第２領域だけに形成される。反射膜パターン１１０は第１基板１００上に形成され、第１基板１００と反射膜パターン１１０の間には有機絶縁膜１０５を介在させることができる。有機絶縁膜パターン１０５はその表面に複数の凹凸が形成され、反射膜パターン１１０は凹凸形状を従って曲がるようにの形成される。このような形状は光の乱反射を誘発して反射率を増加させる長所がある。
【００４０】
反射膜パターン１１０は第１基板１００とカラーフィルタ１３０との間の各画素領域に対応する位置に配置される。反射膜パターン１１０は導電性の金属で形成されるので電圧が印加される電極として使用することができる。もし、反射膜パターン１１０がカラーフィルタ１３０上に形成されたら、反射膜パターン１１０に電圧を印加して画素電極２４０と相互作用するようにしながら別途の共通電極１４０の役目の代わりにすることができる。但し、反射膜パターン１１０がカラーフィルタ１３０上に形成されれば、第２基板２００の外部から入射された光が反射膜パターン１１０で全て反射されてカラーフィルタ１３０を通過できなくて第２表示部ＩＩで鮮明なカラー画像が表示されることができない。
しかし、第２表示部ＩＩでは簡単な情報だけが表示されるので、工程の数や工程費用の側面を考慮して必要によって反射膜パターン１１０がカラーフィルタ１３０上に形成されるようにすることもできる。特にカラーフィルタ１３０が第２基板２００上に形成され、または、第２表示部ＩＩが黒白に表示される場合と一緒に、第１基板１００にカラーフィルタ１３０が使われなければ、第２領域では共通電極１４０の代わりに反射膜パターン１１０を使用することができる。
【００４１】
第１基板１００と第２基板２００の外部面をよく見れば、第２基板２００の外部面にはバックライトアセンブリ２５０が装着される。バックライトアセンブリ２５０は透過モードで動作する第１表示部Ｉのために第２基板２００の第１領域に配置される。バックライトアセンブリ２５０は光源２５１と導光板２５２を含む。光源２５１は発光ダイオードなどを含んで光を発生し、導光板２５２は光源２５１の一側に連結されて光をガイドして第２基板２００の方に照射されるようにする。図面に図示しないが、第２基板２００と導光板２５２の間に光学シートを追加して導光板２５２から出射される光の効率を向上させることができる。
【００４２】
上記のような構造及び動作によると、第２表示部ＩＩを使うことに、別途のバックライトアセンブリ２５０が追加されないので、液晶表示装置の大きさを小さく維持することができる長所がある。また、反射型動作の時にはバックライトアセンブリ２５０が作動されない状態で自然光だけを使うので、消費電力を減らすことができる長所がある。また重要な情報に対しては透過型で動作する第１表示部Ｉを通じていつも画像が表示されることができる長所がある。
【００４３】
図８は本発明の他の実施形態による液晶表示装置の構造を説明するための斜視図であり、図９及び図１０は図８のデータラインを基準にした断面図である。
【００４４】
本実施形態の液晶表示装置は二つの基板を利用して両面表示部を有するようにし、一つの表示部は透過型で、残りの表示部は反射−透過型で作動する。これは先の実施形態とは一部の動作方式が変わったことで、上述動作方式と関連して変更された部分を除外すれば、全体構造は類似している。従って、前述の実施形態と共通的な部分に対する詳細な説明は省略する。
【００４５】
図８を参照すると、本発明の他の実施形態による液晶表示装置は互いに向き合うように合着される第１基板１００と第２基板２００及びその間の液晶３００を含む。第１、第２基板１００、２００は領域別で第１領域と第２領域に区分される。第１基板１００外部の第１領域には透過型のメイン画面で使われる第１表示部Ｉが形成され、第２基板２００外部の第２領域にはサブ画面で使われる第２表示部ＩＩ（図面で斜線が引いた部分は実際には第２基板の下部に形成される。）が形成される。また第１基板１００の外部の第２領域には第３表示部ＩＩＩが形成される。第２表示部ＩＩと第３表示部ＩＩＩでは同様な画像が表示されるが、画像は第２表示部ＩＩでは反射型動作に表示され、第３表示部ＩＩＩでは透過型動作に表示される。
【００４６】
本発明によれば、このように第２表示部ＩＩが第２基板２００の外部に形成されて第１、第２基板１００、２００の数が増加されなく、液晶表示装置の厚さが増加されない状態でも複数の表示部Ｉ、ＩＩ、ＩＩＩで両面に画像を表示することができる。
【００４７】
透過型動作のために、第２基板２００の外部面にはバックライトアセンブリ２５０が具備される。バックライトアセンブリ２５０は光源２５１と導光板２５２を含み、光源からの光が第１表示部Ｉと第３表示部ＩＩＩに出射される。反射型動作のために、第１基板１００の内部面の第２領域には反射膜パターン（図示されない）が具備され、第２基板２００に入射された光が反射膜パターンで反射された後、液晶３００を透過して第２表示部ＩＩに出射される。
【００４８】
第２基板２００の内部面にはゲートライン２１０とデータライン２２０が相互交差しながら画素領域が定義される。第１基板１００の内部面には画素領域に対応する開口部１２１を有する遮光膜パターン１２０が形成される。開口部１２１はカラーを示すためのカラーフィルタ１３０によって満たされる。
【００４９】
図９及び図１０は本発明の他の実施形態による液晶表示装置の断面図であり、図８でデータライン方向を基準にしたものである。
【００５０】
図９を参照すると、第１基板１００は第１領域と第２領域で反射膜パターン１１０の存在可否によって相異なる構造を有し、第２基板２００は第１領域と第２領域で同様な構造を有する。
【００５１】
第２基板２００上には各画素領域の境界になる地点にゲートライン２１０が形成される。ゲートライン２１０上にはゲート絶縁膜２１５と保護膜２３０が形成される。ゲートライン２１０の両側へは各画素領域ごとに分離するように画素電極２４０が形成される。
【００５２】
第１基板１００上の画素領域の境界部分には遮光膜パターン１２０が形成される。遮光膜パターン１２０は画素領域に対応する開口部１２１を有し、開口部１２１はカラーフィルタ１３０によって満たされる。カラーフィルタ１３０は黒白の画面を有する表示装置では省略するとができる。またはカラー画面を有する場合にも、第１基板１００ではなく、第２基板２００に形成することもできる。
【００５３】
第１基板１００の所定領域には反射膜パターン１１０が形成される。反射膜パターン１１０は自然光を反射して画像表示されるように作用し、反射モードで作動する第２表示部ＩＩのために第２領域だけに形成される。反射膜パターン１１０は第１基板１００上に形成され、第１基板１００と反射膜パターン１１０の間には有機絶縁膜パターン１０５を介在させることができる。有機絶縁膜パターン１０５はその表面に複数の凹凸が形成され、反射膜パターン１１０は凹凸形状に従って曲がるように形成される。このような形状は光の乱反射を誘発して反射率を増加させる。
【００５４】
反射膜パターン１１０は遮光膜パターン１２０との間の画素領域と対応する領域全体ではなく、一部だけに形成される。従って、単一の画素領域で反射型動作の時には、反射膜パターン１１０が形成された領域が使われ、透過型動作の時には反射膜パターン１１０が形成されない領域が使われる。
【００５５】
第１基板１００と第２基板２００の外部面をよく見れば、第２基板２００の外部面にはバックライトアセンブリ２５０が装着される。バックライトアセンブリ２５０は光源２５１と導光板２５２を含み、導光板２５２は第１領域と第２領域にかけて形成され、透過モード動作の時、第１表示部Ｉと第３表示部ＩＩＩに画像が表示されるように作動する。
【００５６】
導光板２５２は第１領域と第２領域で同一にパターニングされ、または相異なるようにパターニングすることができる。導光板２５２のパターンによって光が一方向だけへ出射され、または、両方向に出射される。導光板２５２は第２領域では光が上方向だけへ出射されるようにパターニングされることが望ましい。第２領域で光源２５１の光が下方向に出射されれば、液晶３００を通過しなく、導光板２５２から出射される光によっては第２表示部ＩＩの画像を識別しにくい。これに比べて第１領域では第２基板２００に別途の表示部が形成されなくて該当の領域が適用対象製品のケースで覆われるようになり、導光板２５２は光が上方向に出射され、または光が両方向に出射されるようにパターニングされる。前者の場合、第１領域と第２領域で導光板２５２が同一にパターニングされる。後者の場合、図面に示したように、第１領域と第２領域で導光板２５２が相異なるパターニングがされる。工程上の観点では、光が一方向に出射されるようにパターニングするのは容易ではないので、後者の場合がもっと望ましい。第２基板２００と導光板２５２の間には光学シートを追加して導光板２５２から出射される光の効率を向上させることができる。
【００５７】
本実施形態の他の変更実施形態として、図１０のように、反射膜パターン１１０が共通電極１４０と一緒にカラーフィルタ１３０上に形成することができる。この場合、金属からなる反射膜パターン１１０は共通電極とともに電圧が印加される電極で使われる。但し、反射膜パターン１１０がカラーフィルタ１３０上に形成されれば、第２基板２００の外部から入射された光が反射膜パターン１１０で全て反射されてカラーフィルタ１３０を通過できないから、第２表示部ＩＩで鮮明なカラーが表現されることができない。しかし、第３表示部ＩＩＩを通じて第２表示部ＩＩで表示されるものと同様の画像がカラーに表示することができるので、工程の数や工程費用の側面を考慮して必要によって反射膜パターン１１０がカラーフィルタ１３０上に形成するようにすることもできる。
【００５８】
本発明の液晶表示装置において、第１表示部Ｉと第２表示部ＩＩ（または第３表示部ＩＩＩ）で表示される情報の重要度は互いに相異なるものである。即ち、メイン画面で使われる第１表示部Ｉでは必需情報が表示されるのに比べて、サブ画面で使われる第２、第３表示部ＩＩ、ＩＩＩでは付加的な情報が表示される。付加情報は、日付や曜日または時間情報などが含まれ、このような情報は必ず高解像度に表示されなくても良く、また多様なカラーを使わなくて基本色だけで表示されてもかまわない。このような点を考慮して第１表示部Ｉと第２、第３表示部ＩＩ、ＩＩＩにおいて、画素領域での画素が相異なるように構成するようにすることも可能である。
【００５９】
図１１は本発明の実施形態よる液晶表示装置の画面構成を示す図面である。
【００６０】
図１１を参照すると、第１表示部Ｉはそれぞれ赤色／緑／青色を示す３個の副画素によって単一の主画素が形成される。単一の主画素は各副画素での階調によって多様なカラーが表現される。これに比べて第２表示部ＩＩ（または第３表示部ＩＩＩ）は副画素なしに単色を現わす主画素だけで形成される。従って、基本画素領域の大きさは第２表示部ＩＩが第１表示部Ｉの３倍になる。第２表示部ＩＩは赤色だけで表示された領域Ｒ、緑だけに表示された領域Ｇ、青色だけで表示された領域Ｂに区分される。または図１１に示したものと異なり、第２表示部ＩＩは赤色、緑、青色の中でいずれか一つのカラーにだけで単一領域に形成することもでき、または三原色の中でいずれか二つのカラーで二つの領域だけで形成するのも可能である。
【００６１】
第２表示部ＩＩの主画素は副画素の区分なしに形成される。従って、多様なカラーを現わすことはできないが、第１表示部Ｉに比べて開口率が高くて高輝度を示すことができる。
【００６２】
本発明の液晶表示装置を利用すれば、両面の画面を有する小型の器機を製造することができ、具体的に本発明は移動通信などの端末機に適用することができる。
【００６３】
図１２及び図１３は本発明の実施形態による端末機の開閉状態を現わす斜視図である。
【００６４】
図１２及び図１３を参照すれば、本発明の実施形態による端末機は通信モジュールが内蔵する本体５００とヒンジ部５１０に基づいて回動しながら開閉するフォルダ５５０を含む。図１２に示すように、フォルダ５５０が開かれた状態で本体５００には文字を入力するキーパッドなどが形成され、フォルダ５５０には入力された情報による文字やその他の画像を表示する表示窓Ｄ１が形成される。一方、図１３に示すように、フォルダ５５０が閉まった状態でも、また他の表示窓Ｄ２を通じて画像が表示され、ここには現在時間のような簡単な情報を伝達する。ところが、フォルダ５５０が開かれた時の表示窓Ｄ１には電話番号や文字メッセージなど端末機に必要な必需情報が表示されるので、表示窓Ｄ１は大きく形成されることが望ましい。またフォルダ５５０が閉まった時の表示窓Ｄ２には端末機の本質的な機能と関係ない簡単な生活情報が表示されるので、これは小さく形成されてもかまわない。従って、前述の図６を参照して見た実施形態のような液晶表示装置がフォルダ５５０に設置されるようにし、フォルダ５５０が開かれた時の表示窓Ｄ１をメインの第１表示部Ｉで構成し、フォルダ５５０が閉まった時の表示窓Ｄ２をサブの第２表示部ＩＩで構成することができる。この場合、フォルダ５５０内部で二つの基板と単一のバックライトアセンブリだけが使われるので、フォルダ５５０の厚さが減少されて端末機の大きさが大幅に短縮する。
【００６５】
図１４及び図１５は本発明の他の実施形態による端末機の開閉状態を示す斜視図である。
【００６６】
図１４及び図１５を参照すると、端末機は本体５００とヒンジ部５１０及びフォルダ５５０を含む。フォルダ５５０が開かれた状態では入力情報による文字やその他の絵を表示する表示窓Ｄ１が形成される。また表示窓Ｄ１に隣接して小さく形成された、また他の表示窓Ｄ３には現在時間のような簡単な情報が表示される。表示窓Ｄ３の簡単な情報はフォルダ５５０が閉まった時、現われる他の表示窓Ｄ２にも同様に表示される。
【００６７】
このような表示窓Ｄ１、Ｄ２、Ｄ３を有する端末機には、前述の図８を参照して見た実施形態のような液晶表示装置が適用することができる。液晶表示装置をフォルダ５５０に設置し、フォルダ５５０が開かれた時の表示窓Ｄ１、Ｄ３が第１表示部Ｉと第３表示部ＩＩＩで構成され、フォルダ５５０が閉まった時の表示窓Ｄ２が第２表示部ＩＩで構成されるようにする。
【００６８】
尚、本発明は、上述の実施形態に限られるものではない。本発明の技術的範囲から逸脱しない範囲内で多様に変更実施することが可能である。
【図面の簡単な説明】
【００６９】
【図１】本発明の作用原理を説明するための概略斜視図である。
【図２】図１による多様な応用例を示す断面図である。
【図３】図１による多様な応用例を示す断面図である。
【図４】図１による多様な応用例を示す断面図である。
【図５】図１による多様な応用例を示す断面図である。
【図６】本発明の実施形態による液晶表示装置の構造を説明するための斜視図である。
【図７】本発明の実施形態による液晶表示装置の断面図である。
【図８】本発明の他の実施形態による液晶表示装置の構造を説明するための斜視図である。
【図９】本発明の他の実施形態による液晶表示装置の断面図である。
【図１０】本発明の他の実施形態による液晶表示装置の断面図である。
【図１１】本発明の実施形態による液晶表示装置の画面の構成を示す図面である。
【図１２】本発明の実施形態による端末機の開閉状態を示す斜視図である。
【図１３】本発明の実施形態による端末機の開閉状態を示す斜視図である。
【図１４】本発明の他の実施形態による端末機の開閉状態を示す斜視図である。
【図１５】本発明の他の実施形態による端末機の開閉状態を示す斜視図である。
【符号の説明】
【００７０】
Ｉ        第１表示部
ＩＩ      第２表示部
ＩＩＩ    第３表示部
Ｔ        薄膜トランジスタ
１０、１００    第１基板
１１、２１、２５０    バックライトアセンブリ
１２、２２、１１０    反射膜パターン
２０、２００    第２基板
３０、３００    液晶
１０５      有機絶縁膜
１２０      遮光膜パターン
１２１      開口部
１３０      カラーフィルタ
１４０      共通電極
２１０      ゲートライン
２１５      ゲート絶縁膜
２２０      データライン
２３０      保護膜
２４０      画素電極
２５１      光源
２５２      導光板
５００      本体
５５０      フォルダ
５１０      ヒンジ部